(57)【要約】情報処理装置１０は、互いに離間して配置される複数の項目画像ＧＩ−１〜ＧＩ−６及びカーソルＣＵＲを表示装置２０に表示する情報処理装置であって、カーソルＣＵＲをユーザが移動させるカーソル操作の内容に応じた操作情報を受け付ける受付部１１１と、当該操作情報に基づいて表示装置２０にカーソルＣＵＲを表示させる制御部１１２と、複数の項目画像ＧＩ−１〜ＧＩ−６のうちの一の項目画像の内側から外側にカーソルＣＵＲを移動させることを当該操作情報が指示する場合、当該一の項目画像からカーソルＣＵＲの移動方向に沿った所定距離内に他の項目画像があるかを判定する判定部１１３と、を備え、制御部１１２は、判定部１１３の判定結果が肯定である場合、カーソルＣＵＲを当該一の項目画像と当該他の項目画像との間の領域を跳び越して当該他の項目画像の内側に移動させる。
2020171107.tif 000002
【特許請求の範囲】
【請求項１】
互いに離間して配置される複数の項目画像及びカーソルを表示装置に表示する情報処理装置であって、
前記カーソルをユーザが移動させるカーソル操作の内容に応じた操作情報を受け付ける受付部と、
前記操作情報に基づいて前記表示装置に前記カーソルを表示させる制御部と、
前記複数の項目画像のうちの一の項目画像の内側から外側に前記カーソルを移動させることを前記操作情報が指示する場合、前記一の項目画像から前記カーソルの移動方向に沿った所定距離内に他の項目画像があるかを判定する判定部と、を備え、
前記制御部は、
前記判定部の判定結果が肯定である場合、前記カーソルを前記一の項目画像と前記他の項目画像との間の領域を跳び越して前記他の項目画像の内側に移動させる、
情報処理装置。
【請求項２】
前記制御部は、前記判定部の判定結果が否定である場合、前記カーソルの位置を前記一の項目画像の内側から外側に連続的に変化させる、
請求項１に記載の情報処理装置。
【請求項３】
前記判定部は、前記カーソルの移動方向に沿って前記一の項目画像から前記所定距離内に前記他の項目画像があり、且つ、前記カーソル操作の大きさを示す操作量が所定量以上であるかを判定する、
請求項１又は２に記載の情報処理装置。
【請求項４】
前記制御部は、前記一の項目画像と前記他の項目画像との間の距離に応じて前記所定量を設定する、
請求項３に記載の情報処理装置。
【請求項５】
前記制御部は、前記一の項目画像の内側に前記カーソルが位置する場合、前記複数の項目画像以外の領域に前記カーソルが位置する場合と比較して、前記カーソル操作の操作量あたりの前記カーソルの移動量を小さくする、
請求項１から４のいずれか１項に記載の情報処理装置。
【請求項６】
前記制御部は、前記カーソルが前記複数の項目画像以外の領域に位置する場合、前記カーソルと前記複数の項目画像のうち前記カーソルの移動方向にある項目画像との位置関係に応じて、前記カーソル操作の操作量あたりの前記カーソルの移動量を変更する、
請求項１から５のいずれか１項に記載の情報処理装置。
【請求項７】
前記受付部は、前記ユーザのジェスチャを検出するための撮像装置からのデータに基づいて、前記操作情報を受け付ける、
請求項１から６のいずれか１項に記載の情報処理装置。
【発明の詳細な説明】
【技術分野】
【０００１】
本発明は、情報処理装置に関する。
【背景技術】
【０００２】
グラフィカルユーザインタフェイス（ＧＵＩ）を用いる情報処理装置では、例えば、特許文献１に開示されるように、カーソルを用いてアイコン等の項目画像が選択される。特許文献１には、カーソルの動きを１ドット単位で連続した動きとする連続モードと１０ドット単位でスキップした動きとするスキップモードで切り替える技術が記載されている。また、特許文献１には、スキップモードでのカーソルのスキップ量（カーソルがスキップする距離）を、アイコンの間隔にあらかじめ合わせておき、カーソルをアイコンから外すことなく、次々とアイコンを選択することが記載されている。ここで、連続モードとスキップモードとの切り替えは、ユーザの操作により手動で行われる。
【先行技術文献】
【特許文献】
【０００３】
【特許文献１】特開２００１−１２５７０３号公報
【発明の概要】
【発明が解決しようとする課題】
【０００４】
特許文献１に記載の技術では、カーソルを選択中のアイコンから他のアイコンにスキップさせる場合、予め連続モードからスキップモードに手動で切り替えておく必要があるため、操作性が悪い。
【課題を解決するための手段】
【０００５】
以上の課題を解決するために、本発明の好適な態様に係る情報処理装置は、互いに離間して配置される複数の項目画像及びカーソルを表示装置に表示する情報処理装置であって、前記カーソルをユーザが移動させるカーソル操作の内容に応じた操作情報を受け付ける受付部と、前記操作情報に基づいて前記表示装置に前記カーソルを表示させる制御部と、前記複数の項目画像のうちの一の項目画像の内側から外側に前記カーソルを移動させることを前記操作情報が指示する場合、前記一の項目画像から前記カーソルの移動方向に沿った所定距離内に他の項目画像があるかを判定する判定部と、を備え、前記制御部は、前記判定部の判定結果が肯定である場合、前記カーソルを前記一の項目画像と前記他の項目画像との間の領域を跳び越して前記他の項目画像の内側に移動させる。
【発明の効果】
【０００６】
本発明に係る情報処理装置によれば、制御部が判定部の判定結果に基づいてカーソルを一の項目画像と他の項目画像との間の領域を跳び越して当該他の項目画像の内側に移動するので、従来のような手動の切り替えを事前に行う必要がなく、操作性を高めることができる。
【図面の簡単な説明】
【０００７】
【図１】第１実施形態に係る情報処理装置を用いるシステムの構成例の外観を概略的に示す図である。
【図２】第１実施形態に係る情報処理装置を用いるシステムを示すブロック図である。
【図３】表示装置での表示の一例を示す図である。
【図４】選択中の一の項目画像から他の項目画像へカーソルが移動する場合を説明するための図である。
【図５】選択中の一の項目画像から項目画像以外の領域へカーソルが移動する場合を説明するための図である。
【図６】第１実施形態に係る情報処理装置の動作を示すフローチャートである。
【図７】第２実施形態における選択中の一の項目画像から他の項目画像へカーソルが移動する場合を説明するための図である。
【図８】第２実施形態に係る情報処理装置の動作を示すフローチャートである。
【図９】変形例に係る情報処理装置を用いるシステムを示すブロック図である。
【発明を実施するための形態】
【０００８】
[１．第１実施形態]
［１．１．情報処理装置を用いるシステムの概要］
図１は、第１実施形態に係る情報処理装置１０を用いるシステム１の構成例の外観を概略的に示す図である。図１に示すシステム１は、グラフィカルユーザインタフェイスを用いて各種情報処理を行うシステムである。本実施形態では、ユーザＵの手Ｈの動き（ジェスチャ）による操作を行う構成の情報処理装置が例示される。
【０００９】
システム１は、図１に示すように、情報処理装置１０と表示装置２０と撮像装置３０とを有する。情報処理装置１０は、後に詳述する構成のコンピュータ装置である。図１では、情報処理装置１０がノート型のパーソナルコンピュータである場合が例示される。なお、情報処理装置１０は、ノート型のパーソナルコンピュータに限定されず、例えば、デスクトップ型のパーソナルコンピュータ、スマートフォン又はタブレット等であってもよい。また、情報処理装置１０は、既製のハードウェアを用いて構成してもよいし、専用のハードウェアを用いて構成してもよい。
【００１０】
表示装置２０は、例えば液晶表示パネル、又は有機ＥＬ（Electro Luminescence）表示パネル等の各種の表示パネルを用いる表示装置である。なお、表示装置２０は、スクリーンに画像光を投射して画像を表示するプロジェクタ等であってもよいし、ヘッドマウントディスプレイまたはヘッドアップディスプレイ等であってもよい。
【００１１】
撮像装置３０は、ユーザＵを撮像し、その撮像画像を示すデータを出力する装置である。当該撮像画像は、例えば、行列状に配置される複数の画素によって構成される。当該データは、当該撮像画像の画素ごとの輝度等に関する情報を含む。撮像装置３０は、例えば撮像光学系及び撮像素子を含む。撮像光学系は、少なくとも１つの撮像レンズを含む光学系であり、プリズム等の各種の光学素子を備えてもよいし、ズームレンズやフォーカスレンズ等を備えてもよい。撮像素子は、例えば、ＣＣＤ（Charge Coupled Device）イメージセンサー又はＣＭＯＳ（Complementary MOS）イメージセンサー等によって構成される。図１では、撮像装置３０が表示装置２０に対して上側に設置される場合が例示される。なお、撮像装置３０の設置位置は、ユーザＵを撮像することができればよく、図１の例示に限定されず、任意である。
【００１２】
システム１において、情報処理装置１０は、複数の項目画像ＧＩ−１〜ＧＩ−６及びカーソルＣＵＲを含む画像Ｇを表示装置２０に表示させる。そして、情報処理装置１０は、撮像装置３０からのデータに基づいて、ユーザＵからの操作を受け付けて、カーソルＣＵＲを移動させる。例えば、手Ｈが図１中の実線により示される位置から二点鎖線により示される位置に動いた場合、カーソルＣＵＲが図１中の実線により示される位置（項目画像ＧＩ−４）から二点鎖線により示される位置（項目画像ＧＩ−５）に移動する。以下では、複数の項目画像ＧＩ−１〜ＧＩ−６を互いに区別する必要がない場合、複数の項目画像ＧＩ−１〜ＧＩ−６のそれぞれを項目画像ＧＩともいう。
【００１３】
カーソルＣＵＲは、複数の項目画像ＧＩ−１〜ＧＩ−６のうちの一の項目画像ＧＩから他の項目画像ＧＩに移動する際、当該一の項目画像ＧＩと当該他の項目画像ＧＩとの間の領域ＲＳ１を経由せずにスキップする。このため、当該一の項目画像ＧＩ及び当該他の項目画像ＧＩのいずれもがカーソルＣＵＲによって選択されない状態となることが防止される。ここで、複数の項目画像ＧＩ−１〜ＧＩ−６は、互いに離間して配置される。このため、複数の項目画像ＧＩ−１〜ＧＩ−６が互いに接して配置される場合に比べて、当該一の項目画像ＧＩ及び当該他の項目画像ＧＩのうちのいずれがカーソルＣＵＲによって選択されるのかがユーザＵにとって視覚的にわかりやすい。
【００１４】
また、カーソルＣＵＲが複数の項目画像ＧＩ−１〜ＧＩ−６のうちの一の項目画像ＧＩから画像Ｇ中における複数の項目画像ＧＩ−１〜ＧＩ−６以外の領域ＲＳに移動する場合、カーソルＣＵＲの位置は、当該一の項目画像ＧＩの内側から領域ＲＳに連続的に変化する。領域ＲＳでは、カーソルＣＵＲの位置を任意の位置へ連続的に変化させることが可能である。このため、領域ＲＳでのカーソルＣＵＲの移動を禁止したり領域ＲＳでのカーソルＣＵＲをスキップさせたりする場合に比べて、任意の項目画像ＧＩへの選択の際の操作性を高めることができる。なお、領域ＲＳは、前述の領域ＲＳ１のほか、複数の項目画像ＧＩ−１〜ＧＩ−６からなる集合体全体を囲む環状の領域ＲＳ２を含む。
【００１５】
［１．２．情報処理装置を用いるシステムのハードウェア構成］
図２は、第１実施形態に係る情報処理装置１０を用いるシステム１を示すブロック図である。図２に示すように、情報処理装置１０は、処理装置１１、記憶装置１２、通信装置１３、入力装置１４、出力装置１５及びこれらの装置を接続するバス１６を備える。バス１６は、単一のバスによって構成されてもよいし、装置間において異なるバスによって構成されてもよい。
【００１６】
処理装置１１は、情報処理装置１０の全体を制御するプロセッサであり、例えば単数又は複数のチップによって構成される。処理装置１１は、例えば、周辺装置とのインタフェース、演算装置及びレジスタ等を含む中央処理装置（ＣＰＵ：Central Processing Unit）によって構成される。なお、処理装置１１の機能の一部又は全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアによって実現してもよい。処理装置１１は、各種の処理を並列的又は逐次的に実行する。
【００１７】
記憶装置１２は、処理装置１１が読取可能な記録媒体であり、処理装置１１が実行する制御プログラムＰ１を含む複数のプログラム、及び処理装置１１が使用する各種のデータを記憶する。記憶装置１２は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００１８】
通信装置１３は、他の装置と通信する機器である。通信装置１３は、移動体通信網又はインターネット等のネットワークを介して他の装置と通信する機能、近距離無線通信によって他の装置と通信する機能を備える。近距離無線通信には、例えばＢｌｕｅｔｏｏｔｈ（登録商標）、ＺｉｇＢｅｅ、又は、ＷｉＦｉ（登録商標）等が挙げられる。本実施形態では、通信装置１３は、前述の表示装置２０及び撮像装置３０のそれぞれと通信する機能を有する。
【００１９】
入力装置１４は、外部からの入力を受け付ける入力デバイス（例えば、キーボード、マウス、マイクロフォン、スイッチ、ボタン、センサ等）である。なお、入力装置１４は、前述の撮像装置３０を含んでもよい。また、入力装置１４は、必要に応じて設ければよく、省略してもよい。
【００２０】
出力装置１５は、外部への出力を実施する出力デバイス（例えば、ディスプレイ、スピーカー、LEDランプ等）である。なお、出力装置１５は、入力装置１４と一体となった構成（例えば、タッチパネル）であってもよい。また、出力装置１５は、前述の表示装置２０を含んでもよい。また、出力装置１５は、必要に応じて設ければよく、省略してもよい。
【００２１】
［１．３．情報処理装置の機能］
処理装置１１は、記憶装置１２から読み取った制御プログラムＰ１を実行することによって、受付部１１１及び制御部１１２として機能する。したがって、情報処理装置１０は、受付部１１１と制御部１１２と判定部１１３とを備える。
【００２２】
受付部１１１は、ユーザＵがカーソルＣＵＲを移動させるカーソル操作の内容に応じた操作情報を受け付ける。本実施形態の受付部１１１は、撮像装置３０からデータに基づいてユーザＵのジェスチャを検出し、当該ジェスチャを用いたカーソル操作の内容に応じた操作情報を受け付ける。具体的には、受付部１１１は、撮像装置３０からのデータが示す撮像画像からユーザＵの手Ｈの位置を特定し、当該位置の動きをユーザＵのカーソル操作として取り扱い、当該カーソル操作の内容に応じた操作情報を含む信号を出力する。ここで、受付部１１１は、例えば、特定の状態にある手Ｈを検出し、手Ｈが当該特定の状態となる期間にわたって、当該操作情報を受け付ける。当該特定の状態は、特に限定されないが、例えば、表示装置２０又は撮像装置３０に向かってユーザＵが手Ｈのひらを広げてかざす状態である。手Ｈの位置は、例えば、当該撮像画像に設定される二次元座標系の座標値として特定される。当該操作情報は、例えば、当該撮像画像に設定される二次元座標系の座標値の変化を示す情報である。なお、受付部１１１におけるジェスチャの検出には、例えば、テンプレートマッチング等の画像処理技術を用いることができる。また、受付部１１１におけるジェスチャの検出の判断基準は、例えば、機械学習等の結果に応じて変化してもよい。
【００２３】
制御部１１２は、複数の項目画像ＧＩ及びカーソルＣＵＲを表示装置２０に表示させる。ここで、制御部１１２は、受付部１１１からの操作情報に基づいて表示装置２０にカーソルＣＵＲを表示させる。具体的には、制御部１１２は、受付部１１１からの操作情報に基づくカーソル操作の操作量および操作方向に応じて、表示装置２０の表示領域内におけるカーソルＣＵＲの位置を変更する。当該カーソル操作の操作量は、例えば、当該操作情報が二次元座標系の座標値の変化を示す情報である場合、当該座標値の変化量（移動量）である。つまり、カーソル操作の操作量は、ユーザＵの手Ｈの移動距離を表す。また、当該カーソル操作の操作方向は、例えば、当該操作情報が二次元座標系の座標値の変化を示す情報である場合、当該座標値の移動方向である。以下、制御部１１２での表示制御について詳述する。
【００２４】
図３は、表示装置２０での表示の一例を示す図である。以下では、図３に示すように、表示装置２０の表示領域の横方向をＸ方向と表記し、縦方向をＹ方向と表記する。制御部１１２は、図３に示すように、複数の項目画像ＧＩ−１〜ＧＩ−６及びカーソルＣＵＲを含む画像Ｇを表示装置２０に表示させる。カーソルＣＵＲは、画像Ｇ内を移動する。複数の項目画像ＧＩ−１〜ＧＩ−６のそれぞれは、例えば、カーソルＣＵＲによる選択により所定の指示を与えるアイコン又はボタン等である。ここで、複数の項目画像ＧＩ−１〜ＧＩ−６は、互いに離間して、Ｘ方向及びＹ方向に行列状に並んで配置される。図３では、６つの項目画像ＧＩ−１〜ＧＩ−６が互いに同じ形状及び面積を持ってＸ方向及びＹ方向に等間隔に配置される場合が例示される。なお、項目画像ＧＩの形状、面積、数及び配置等は、図３の例示に限定されず、任意である。また、「カーソル」は、ポインタ等とも換言される。
【００２５】
前述のように、画像Ｇは、複数の項目画像ＧＩ−１〜ＧＩ−６及びカーソルＣＵＲのほか、複数の項目画像ＧＩ−１〜ＧＩ−６以外の領域ＲＳを含む。領域ＲＳは、複数の項目画像ＧＩ−１〜ＧＩ−６の間の領域ＲＳ１と、複数の項目画像ＧＩ−１〜ＧＩ−６からなる集合体全体を囲む環状の領域ＲＳ２と、を含む。制御部１１２は、カーソルＣＵＲが領域ＲＳに位置する場合、手Ｈの動きに応じてカーソルＣＵＲの位置を連続的に変化させる。これに対し、制御部１１２は、カーソルＣＵＲが複数の項目画像ＧＩ−１〜ＧＩ−６のうちの任意の一の項目画像ＧＩの内側に位置する場合、判定部１１３の判定結果に基づいて、カーソルＣＵＲの移動方向によってカーソルＣＵＲの挙動を異ならせる。ここで、判定部１１３は、複数の項目画像ＧＩ−１〜ＧＩ−６のうちの一の項目画像ＧＩの内側から外側にカーソルＣＵＲを移動させることを受付部１１１からの操作情報が指示する場合、カーソルＣＵＲの移動方向に沿って当該一の項目画像ＧＩから所定距離Ｄ内に他の項目画像ＧＩがあるかを判定する。
【００２６】
図４は、選択中の一の項目画像ＧＩ−１から他の項目画像ＧＩ−２へカーソルＣＵＲが移動する場合を説明するための図である。図４に示す場合、カーソルＣＵＲの移動方向（Ｘの正方向）に沿って項目画像ＧＩ−１から所定距離Ｄ内に他の項目画像ＧＩとして項目画像ＧＩ−２があるため、判定部１１３の判定結果は肯定である。ここで、判定部１１３における判定は、例えば、カーソルＣＵＲの移動方向に沿って項目画像ＧＩ−１から所定距離Ｄ離れた位置ＰＦまでを結ぶ線分に他の項目画像ＧＩの外縁が交差するか否かにより行う。制御部１１２は、判定部１１３の判定結果が肯定である場合、領域ＲＳ１を跳び越してカーソルＣＵＲを項目画像ＧＩ−２の内側に移動させる。すなわち、制御部１１２は、選択中の項目画像ＧＩ−１からカーソルＣＵＲの移動方向における所定距離Ｄ内に他の項目画像ＧＩ−２がある場合、領域ＲＳを経由させずに当該他の項目画像ＧＩ−２にカーソルＣＵＲを移動させる。なお、図４では、所定距離Ｄ内にある他の項目画像ＧＩの数が１つである場合が例示されるが、所定距離Ｄ内にある他の項目画像ＧＩの数が複数であってもよい。この場合、制御部１１２は、所定距離Ｄ内にある複数の項目画像ＧＩのうち選択中の項目画像ＧＩに最も近い項目画像ＧＩをカーソルＣＵＲの移動先として指定する。
【００２７】
所定距離Ｄは、項目画像ＧＩ−１と項目画像ＧＩ−２との間の距離Ｌ１以上、表示装置２０の表示領域内においてとり得る最大値以下の任意の距離である。所定距離Ｄが距離Ｌ１以上であればよく、位置ＰＦは、図４に示す位置に限定されない。また、制御部１１２は、例えば、複数の項目画像ＧＩのうち、最も長い離間距離をもって隣り合う２つの項目画像ＧＩの間の距離Ｌ２以上の任意の距離に当該所定距離Ｄを設定する。この設定により、斜めに隣り合う２つの項目画像ＧＩ間でも領域ＲＳ１を跳び越すカーソルＣＵＲの移動が可能である。なお、所定距離Ｄは、固定でも可変でもよい。当該所定距離Ｄが可変である場合、例えば、カーソルＣＵＲの移動方向に応じて当該所定距離Ｄが変化してもよい。また、隣り合う２つの項目画像ＧＩの距離の候補の数が複数ある場合、制御部１１２は、これらの候補のうちの最大距離と最小距離に応じて所定距離Ｄを適宜設定すればよい。この設定により、カーソルＣＵＲの移動方向に他の項目画像ＧＩがあっても、カーソルＣＵＲの位置が領域ＲＳ１に連続的に変化する条件を設定することも可能である。例えば、所定距離ＤをＬ１以上Ｌ２未満の距離とすることで、カーソルＣＵＲの移動方向が項目画像ＧＩ−１から項目画像ＧＩ−５に向かう方向であっても、ユーザＵは、カーソルＣＵＲを跳び越させずに領域ＲＳ１内にカーソルＣＵＲを移動させることができる。
【００２８】
ここで、本実施形態の判定部１１３は、所定距離Ｄ内に他の項目画像ＧＩがあり、且つ、受付部１１１でのカーソル操作の大きさを示す操作量が所定量以上であるかを判定する。このため、制御部１１２は、判定部１１３の判定結果が肯定となるまでの間、受付部１１１からの操作情報に対する操作量に応じて、項目画像ＧＩ−１の内側においてカーソルＣＵＲを移動させる。このとき、制御部１１２は、カーソルＣＵＲが項目画像ＧＩ−１の外縁（図４中太線で示す辺）に達した場合、判定部１１３の判定結果が肯定となるまでの間、カーソルＣＵＲを項目画像ＧＩ−１の外縁に接した状態のまま移動させずに停止させる。このため、選択されている項目画像ＧＩ−１からカーソルＣＵＲが外れ難いような操作感をユーザＵに提供できる。
【００２９】
制御部１１２は、距離Ｌ１に応じて、前述の判定部１１３における判定に用いる当該所定量を設定することが好ましい。言い換えると、制御部１１２は、距離Ｌ１に応じて、カーソルＣＵＲを項目画像ＧＩ−１から項目画像ＧＩ−２へ移動させるのに受付部１１１によって受け付けられる必要な操作量を変更することが好ましい。具体的には、距離Ｌ１が大きくなるほど、前述の所定量を大きくすることが好ましい。この場合、距離Ｌ１の違いによる操作感覚のずれを小さくすることができる。
【００３０】
また、ユーザＵがカーソルＣＵＲを項目画像ＧＩ−１から項目画像ＧＩ−２へ移動させるのに受付部１１１によって受け付けられる必要な操作量（以下、「選択時の操作量」ともいう）は、ユーザＵがカーソルＣＵＲを複数の項目画像ＧＩ−１〜ＧＩ−６以外の領域ＲＳにおいて距離Ｌ１移動させるのに受付部１１１によって受け付けられる必要な操作量（以下、「非選択時の操作量」ともいう）と同じでも異なってもよい。ここで、選択時の操作量が非選択時の操作量よりも大きい場合、カーソルＣＵＲが項目画像ＧＩ−２に吸い付くような操作感をユーザＵに提供できる。一方、選択時の操作量が非選択時の操作量よりも小さい場合、選択されている項目画像ＧＩ−１からカーソルＣＵＲが外れ難いような操作感をユーザＵに提供できる。
【００３１】
なお、ユーザＵが項目画像ＧＩ−２から項目画像ＧＩ−１へカーソルＣＵＲを移動させる場合も、カーソルＣＵＲの移動方向が異なる以外は、制御部１１２による制御は、前述の図４に示す場合と同様である。また、Ｘ方向において隣り合う他の２つの項目画像ＧＩの間においてユーザＵがカーソルＣＵＲを移動させる場合も、制御部１１２による制御は、前述の図４に示す場合と同様である。さらに、Ｙ方向において隣り合う２つの項目画像ＧＩの間においてユーザＵがカーソルＣＵＲを移動させる場合も、カーソルＣＵＲの移動方向が異なる以外は、制御部１１２による制御は、前述の図４に示す場合と同様である。さらに、ユーザＵが項目画像ＧＩ−１から項目画像ＧＩ−５へカーソルＣＵＲを移動させる場合のように、Ｘ方向およびＹ方向に対して傾斜する方向に隣り合う他の２つの項目画像ＧＩの間においてユーザＵがカーソルＣＵＲを移動させる場合も、カーソルＣＵＲの移動方向が異なる以外は、制御部１１２による制御は、前述の図４に示す場合と同様である。
【００３２】
図５は、選択中の項目画像ＧＩ−３から項目画像ＧＩ−１〜ＧＩ−６以外の領域ＲＳへカーソルＣＵＲが移動する場合を説明するための図である。図５に示す場合、カーソルＣＵＲの移動方向（Ｘの正方向）に沿って項目画像ＧＩ−３から所定距離Ｄ内に他の項目画像ＧＩがないため、判定部１１３の判定結果は否定である。制御部１１２は、判定部１１３の判定結果が否定である場合、図５に示すように、カーソルＣＵＲの位置を項目画像ＧＩ−３の内側から外側（すなわち領域ＲＳ）に連続的に変化させる。領域ＲＳでは、カーソルＣＵＲの位置が任意の位置へ連続的に変化させることが可能である。
【００３３】
ここで、本実施形態の制御部１１２は、項目画像ＧＩ−１〜ＧＩ−６のうちの一の項目画像ＧＩの内側にカーソルＣＵＲが位置する場合、複数の項目画像ＧＩ−１〜ＧＩ−６以外の領域ＲＳにカーソルＣＵＲが位置する場合と比較して、受付部１１１で受け付けた操作情報が示すカーソル操作の操作量あたりのカーソルＣＵＲの移動量（以下、「カーソルＣＵＲの単位操作量あたりの移動量」ともいう。）を小さくする。より具体的には、制御部１１２は、低速モードおよび高速モードを有し、受付部１１１からの操作情報に基づいて、これらのモード間において使用するモードを選択的に切り替え可能である。当該低速モードは、カーソルＣＵＲの単位操作量あたりの移動量が第１移動量であるモードである。当該高速モードは、カーソルＣＵＲの単位操作量あたりの移動量が第１移動量よりも大きい第２移動量であるモードである。このように項目画像ＧＩの内側と外側においてカーソルＣＵＲの単位操作量あたりの移動量を異ならせることで、選択されている当該一の項目画像ＧＩからカーソルＣＵＲが外れ難いような操作感をユーザＵに提供できる。あるいは、ユーザＵは、カーソルＣＵＲを領域ＲＳにおいて迅速に移動させることができる。なお、カーソルＣＵＲの単位操作量あたりの移動量を一定としてもよい。
【００３４】
また、制御部１１２は、カーソルＣＵＲが領域ＲＳに位置する場合、カーソルＣＵＲと複数の項目画像ＧＩ−１〜ＧＩ−６のうちカーソルＣＵＲの移動方向にある項目画像ＧＩとの位置関係に応じて、受付部１１１で受け付けた操作情報が示すカーソル操作の操作量あたりのカーソルＣＵＲの移動量を変更する。この場合、カーソルＣＵＲの単位操作量あたりの移動量が一定である場合に比べて、カーソルＣＵＲの操作性を高めることができる。例えば、カーソルＣＵＲの移動方向にある項目画像ＧＩがカーソルＣＵＲから遠いほど、受付部１１１に対する単位操作量あたりのカーソルＣＵＲの移動量が大きく設定される。このため、目的とする項目画像ＧＩへカーソルＣＵＲをユーザＵが迅速かつ正確に移動させることが容易である。
【００３５】
なお、ユーザＵが項目画像ＧＩ−６から領域ＲＳへカーソルＣＵＲを移動させる場合も、制御部１１２による制御は、前述の図５に示す場合と同様である。また、ユーザＵがその他の項目画像ＧＩから領域ＲＳへカーソルＣＵＲを移動させる場合も、カーソルＣＵＲの移動方向が異なる以外は、制御部１１２による制御は、前述の図５に示す場合と同様である。例えば、ユーザＵが項目画像ＧＩ−１から領域ＲＳへカーソルＣＵＲを移動させる場合、図３中の破線によって示されるように、ユーザＵは、領域ＲＳ２を経由してカーソルＣＵＲを項目画像ＧＩ−１から最も遠い項目画像ＧＩ−６に迅速に移動させることができる。
【００３６】
［１．４．情報処理装置の動作］
図６は、第１実施形態に係る情報処理装置１０の動作を示すフローチャートである。以下、図６に基づいて、カーソルＣＵＲの移動制御の流れを説明する。図６に示すように、まず、判定部１１３が、カーソルＣＵＲが複数の項目画像ＧＩ−１〜ＧＩ−６のうちの一の項目画像ＧＩを選択しているか否かを判断する（Ｓ１）。ステップＳ１の判断結果が肯定である場合、制御部１１２は、低速モードを選択する（Ｓ２）。一方、ステップＳ１の判断結果が否定である場合、制御部１１２は、高速モードを選択する（Ｓ３）。
【００３７】
ステップＳ２の後、判定部１１３は、選択中の項目画像ＧＩからカーソルＣＵＲの移動方向での所定距離Ｄ内に他の項目画像ＧＩがあるか否かを判断する（Ｓ４）。当該所定距離Ｄ内に他の項目画像ＧＩがない場合、処理が前述のステップＳ１に戻る。
【００３８】
当該所定距離Ｄ内に他の項目画像ＧＩがある場合、制御部１１２は、選択中の項目画像ＧＩの外縁にカーソルＣＵＲが達したか否かを判断する（Ｓ５）。本ステップＳ５は、選択中の項目画像ＧＩの外縁にカーソルＣＵＲが達するまで繰り返される。
【００３９】
選択中の項目画像ＧＩの外縁にカーソルＣＵＲが達した場合、判定部１１３は、受付部１１１でのカーソル操作の大きさを示す操作量が所定量以上であるか否かを判断する（Ｓ６）。本ステップＳ６は、当該操作量が所定量以上となるまで繰り返される。
【００４０】
当該操作量が所定量以上である場合、判定部１１３の判定結果が肯定となり、制御部１１２は、カーソルＣＵＲを選択中の項目画像ＧＩに対して移動方向に隣り合う他の項目画像ＧＩへ移動させる（Ｓ７）。その後、制御部１１２は、終了指示があるか否かを判断する（Ｓ８）。終了指示がない場合、処理が前述のステップＳ１に戻る。一方、終了指示がある場合、一連の処理が終了する。
【００４１】
前述のステップＳ３の後は、制御部１１２は、カーソルＣＵＲの移動方向にある項目画像ＧＩとカーソルＣＵＲとの間の位置関係に基づいて、カーソルＣＵＲの単位操作量あたりの移動量を調整する（Ｓ９）。その後、処理が前述のステップＳ８に移行する。
【００４２】
以上の情報処理装置１０では、制御部１１２は、複数の項目画像ＧＩ−１〜ＧＩ−６のうちの一の項目画像ＧＩの内側から外側にカーソルＣＵＲを移動させる際、カーソルＣＵＲを次のように移動させる。具体的には、制御部１１２は、当該一の項目画像ＧＩからカーソルＣＵＲの移動方向における所定距離Ｄ内に他の項目画像ＧＩがある場合、カーソルＣＵＲを当該一の項目画像ＧＩと当該他の項目画像ＧＩとの間の領域ＲＳを経由させずに当該他の項目画像ＧＩの内側に移動させる。このため、当該一の項目画像ＧＩ及び当該他の項目画像ＧＩのいずれもがカーソルＣＵＲによって選択されない状態となることを防止できる。複数の項目画像ＧＩが互いに離間して配置されるため、複数の項目画像ＧＩが互いに接して配置される場合に比べて、当該一の項目画像ＧＩ及び当該他の項目画像ＧＩのうちのいずれがカーソルＣＵＲによって選択されるのかがユーザＵにとって視覚的にわかりやすい。
【００４３】
一方、当該所定距離Ｄ内に当該他の項目画像ＧＩがない場合、制御部１１２は、カーソルＣＵＲの位置を当該一の項目画像ＧＩの内側から外側に連続的に変化させる。このため、ユーザＵは、カーソルＣＵＲを、当該一の項目画像ＧＩから複数の項目画像ＧＩ−１〜ＧＩ−６のうちの当該他の項目画像ＧＩ以外の任意の項目画像ＧＩへ、当該他の項目画像ＧＩを経由せずに迅速に移動させることができる。この結果、当該他の項目画像ＧＩを経由する場合に比べて、当該任意の項目画像ＧＩへの選択の際の操作性を高めることができる。
【００４４】
[２．第２実施形態]
以下、本発明の第２実施形態について説明する。以下に例示する形態において作用や機能が第１実施形態と同様である要素については、第１実施形態の説明で使用した符号を流用して各々の詳細な説明を適宜に省略する。
【００４５】
図７は、第２実施形態における選択中の一の項目画像ＧＩ−１から他の項目画像ＧＩ−２へカーソルＣＵＲが移動する場合を説明するための図である。本実施形態の項目画像ＧＩ−１の内側には、図７に示すように、項目画像ＧＩ−１の右辺Ｓに沿って所定幅の減速領域ＲＲが設けられる。減速領域ＲＲは、受付部１１１に対する単位操作量あたりのカーソルＣＵＲの移動量が減少する領域である。その減少の程度は、減速領域ＲＲの幅または面積に応じて決定され、特に限定されないが、例えば、通常時の２０％以上８０％以下の範囲内である。
【００４６】
本実施形態の制御部１１２は、カーソルＣＵＲが減速領域ＲＲに達するまでの間、受付部１１１に対する操作量に応じて、前述の第１実施形態と同様の移動速度により、カーソルＣＵＲを移動させる。そして、制御部１１２は、カーソルＣＵＲが減速領域ＲＲに達した場合、カーソルＣＵＲの単位操作量あたりの移動量を減少させる。このため、選択されている項目画像ＧＩ−１からカーソルＣＵＲが外れ難いような操作感をユーザＵに提供できる。本実施形態では、カーソルＣＵＲが減速領域ＲＲを経由して項目画像ＧＩ−１の外縁に達した場合、判定部１１３の判定結果が肯定となり、制御部１１２は、領域ＲＳを経由させずにカーソルＣＵＲを項目画像ＧＩ−１から項目画像ＧＩ−２へ移動させる。
【００４７】
図８は、第２実施形態に係る情報処理装置の動作を示すフローチャートである。以下、図８に基づいて、本実施形態のカーソルＣＵＲの移動制御の流れを説明する。図８に示すように、まず、判定部１１３が、前述の第１実施形態と同様、ステップＳ１の処理を実行する。本実施形態では、ステップＳ１の判断結果が肯定である場合、制御部１１２は、ステップＳ４の処理に移行する。一方、ステップＳ１の判断結果が否定である場合、制御部１１２は、ステップＳ８の処理に移行する。ステップＳ４において当該所定距離Ｄ内に他の項目画像ＧＩがある場合、制御部１１２は、カーソルＣＵＲが減速領域ＲＲに達したか否かを判断する（Ｓ１０）。本ステップＳ１０は、カーソルＣＵＲが減速領域ＲＲに達するまで繰り返される。
【００４８】
選択中の項目画像ＧＩの外縁にカーソルＣＵＲが達した場合、制御部１１２は、カーソルＣＵＲの単位操作量あたりの移動量を減少させる（Ｓ１１）。その後、制御部１１２は、前述の第１実施形態と同様、ステップＳ５の処理を実行する。
【００４９】
選択中の項目画像ＧＩの外縁にカーソルＣＵＲが達した場合、判定部１１３の判定結果が肯定となり、制御部１１２は、カーソルＣＵＲを選択中の項目画像ＧＩに対して移動方向に隣り合う他の項目画像ＧＩへ移動させる（Ｓ７Ａ）。このとき、制御部１１２は、カーソルＣＵＲの単位操作量あたりの移動量を元に戻す。その後、制御部１１２は、前述の第１実施形態と同様、ステップＳ８の処理を実行する。以上の本実施形態によっても、前述の第１実施形態と同様の効果が得られる。
【００５０】
[３．変形例]
本発明は、以上に例示した各実施形態に限定されない。具体的な変形の態様を以下に例示する。以下の例示から任意に選択された２以上の態様を併合してもよい。
【００５１】
（１）上述した実施形態において、表示装置２０および撮像装置３０が情報処理装置１０とは別体である構成が例示されるが、当該構成に限定されない。例えば、表示装置２０および撮像装置３０の一方または両方が情報処理装置１０とは一体であってもよい。
【００５２】
図９は、変形例に係る情報処理装置１０Ａを用いるシステム１Ａを示すブロック図である。図９に示すシステム１Ａでは、情報処理装置１０Ａ、表示装置２０および撮像装置３０が一体となっている。ここで、表示装置２０および撮像装置３０は、情報処理装置１０Ａのバス１６に通信可能に接続される。情報処理装置１０Ａでは、前述の実施形態の通信装置１３が省略される。
【００５３】
（２）上述した実施形態において、受付部１１１がユーザＵのジェスチャを用いた操作を受け付ける構成の情報処理装置が例示されるが、当該構成に限定されない。例えば、受付部１１１がマウス等のポインティングデバイスを介してユーザＵからの操作を受け付けてもよい。ただし、ユーザＵのジェスチャを用いた操作は、一般に、マウス等のポインティングデバイスによる操作に比べて、繊細な操作が難しい。したがって、受付部１１１がジェスチャを用いた操作を受け付ける場合、本発明を適用することにより得られる効果が特に顕著となる。
【００５４】
（３）上述した各実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
また、上述した各実施形態の説明に用いた「装置」という文言は、回路、デバイス又はユニット等の他の用語に読替えてもよい。
【００５５】
（４）上述した各実施形態における処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５６】
（５）上述した各実施形態において、入出力された情報等は特定の場所(例えば、メモリ)に保存されてもよい。入出力される情報等は、上書き、更新、又は追記され得る。出力された情報等は削除されてもよい。入力された情報等は他の装置へ送信されてもよい。
【００５７】
（６）上述した各実施形態において、判定は、１ビットで表される値（０か１か）によって行われてもよいし、真偽値（Boolean：true又はfalse）によって行われてもよいし、数値の比較（例えば、所定の値との比較）によって行われてもよい。
【００５８】
（７）上述した各実施形態では、記憶装置１２は、処理装置１１が読取可能な記録媒体であり、ＲＯＭ及びＲＡＭなどを例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、ネットワークから送信されても良い。また、プログラムは、電気通信回線を介して通信網から送信されても良い。
【００５９】
（８）上述した各実施形態において、説明した情報及び信号などは、様々な異なる技術のいずれかを使用して表されてもよい。例えば、上述の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６０】
（９）図２に例示された各機能は、ハードウェア及びソフトウェアの任意の組合せによって実現される。また、各機能は、単体の装置によって実現されてもよいし、相互に別体で構成された２個以上の装置によって実現されてもよい。
【００６１】
（１０）上述した各実施形態で例示したプログラムは、ソフトウェア、ファームウェア、ミドルウェア、マイクロコード又はハードウェア記述言語と呼ばれるか、他の名称によって呼ばれるかを問わず、命令、命令セット、コード、コードセグメント、プログラムコード、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順又は機能等を意味するよう広く解釈されるべきである。
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６２】
（１１）上述した各実施形態において、情報、パラメータなどは、絶対値で表されてもよいし、所定の値からの相対値で表されてもよいし、対応する別の情報で表されてもよい。例えば、無線リソースはインデックスで指示されるものであってもよい。
【００６３】
（１２）上述した各実施形態において、情報処理装置１０は、移動局である場合が含まれる。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００６４】
（１３）上述した各実施形態において、「接続された(connected)」という用語、又はこれらのあらゆる変形は、２又はそれ以上の要素間の直接的又は間接的なあらゆる接続又は結合を意味し、互いに「接続」された２つの要素間に１又はそれ以上の中間要素が存在することを含むことができる。要素間の接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」されると考えることができる。
【００６５】
（１４）上述した各実施形態において、「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６６】
（１５）本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【００６７】
（１６）上述した各実施形態において「含む(including)」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００６８】
（１７）本願の全体において、例えば、英語におけるa、an及びtheのように、翻訳によって冠詞が追加された場合、これらの冠詞は、文脈から明らかにそうではないことが示されていなければ、複数を含む。
【００６９】
（１８）本発明が本明細書中に説明した実施形態に限定されないことは当業者にとって明白である。本発明は、特許請求の範囲の記載に基づいて定まる本発明の趣旨及び範囲を逸脱することなく修正及び変更態様として実施できる。したがって、本明細書の記載は、例示的な説明を目的とし、本発明に対して何ら制限的な意味を有さない。また、本明細書に例示した態様から選択された複数の態様を組合わせてもよい。
【符号の説明】
【００７０】
１…システム、２０…表示装置、１１１…受付部、１１２…制御部、ＣＵＲ…カーソル、Ｇ…画像、ＧＩ…項目画像、ＧＩ−１…項目画像、ＧＩ−２…項目画像、ＧＩ−３…項目画像、ＧＩ−４…項目画像、ＧＩ−５…項目画像、ＧＩ−６…項目画像、Ｌ１…距離、Ｌ２…距離、ＲＲ…減速領域、ＲＳ…領域、ＲＳ１…領域、ＲＳ２…領域、Ｕ…ユーザ。
【図１】
2020171107.tif 000003
【図２】
2020171107.tif 000004
【図３】
2020171107.tif 000005
【図４】
2020171107.tif 000006
【図５】
2020171107.tif 000007
【図６】
2020171107.tif 000008
【図７】
2020171107.tif 000009
【図８】
2020171107.tif 000010
【図９】
2020171107.tif 000011
【国際調査報告】
2020171107.tif 000012
2020171107.tif 000013
2020171107.tif 000014
2020171107.tif 000015